(57)【要約】      （修正有）【課題】ケースにガスケットを挟んでバックプレートをねじ止めする組立を、ガスケットの位置ずれを起こさない状態で、作業効率良く行なえるような構造を提供する。【解決手段】ケース１１１の背面開口に沿っているガスケット１３０と、タッピングねじ１４０によってケース１１１に固定してあり、ケース１１１の背面開口を塞ぐバックプレート１５０とを有する。ガスケット１３０はケース１１１のリブ１１７とバックプレート１５０との間に挟み込まれている。ケース１１１には、各ボス１１６毎に、各ボス１１６の近傍の両側にガスケット位置決め突起１１８、１１９が形成してある。ガスケット３０には、各ボス１１６に対応する部分に、切欠部１３１及び位置決め用開口１３２，１３３が形成してある。ガスケット１３０は、ケース１１１に組み込んだ状態で、位置決め用開口１３２，１３３をガスケット位置決め突起１１８、１１９に嵌合させて位置を規制されている。【選択図】図３
2007220762.tif 000002
【特許請求の範囲】
【請求項１】
開口を有するケースと、該ケースの開口を塞ぐプレートと、ガスケットとを有し、該プレートのねじ挿通孔を挿通して前記ケースのねじ孔にねじ込まれた複数のねじによって前記プレートが前記ケースに固定してあり、前記ガスケットが前記ケースと前記プレートとの間に挟まれた構成の電子機器において、
前記ケースは、前記ねじ孔の近傍に、ガスケット位置決め用突起を有し、
前記ガスケットは、前記ガスケット位置決め用突起に対応した位置決め用開口と、前記ねじを避けるねじ回避部と有し、
前記ガスケットが、前記位置決め用開口を前記ガスケット位置決め用突起に嵌合されて、各ねじ止めされている個所毎に位置を規制されている構成としたことを特徴とする電子機器。
【請求項２】
請求項１に記載の電子機器において、
前記ガスケット位置決め用突起は、前記ねじ孔に対してその両側の位置に設けてあり、
前記ガスケットが、各ねじ止めされている個所について、ねじ止め個所の両側で位置を規制されている構成としたこと成としたことを特徴とする電子機器。
【請求項３】
請求項１又は請求項２に記載の電子機器において、
前記プレートは、前記ガスケット位置決め用突起を避ける凹部を有する構成としたことを特徴とする電子機器。
【請求項４】
開口を有するケースと、該ケースの開口を塞ぐプレートと、ガスケットとを有し、該プレートのねじ挿通孔を挿通して前記ケースのねじ孔にねじ込まれた複数のねじによって前記プレートが前記ケースに固定してあり、前記ガスケットが前記ケースと前記プレートとの間に挟まれた構成の電子機器において、
前記プレートは、前記ねじ挿通孔の近傍に、ガスケット位置決め用突起を有し、
前記ガスケットは、前記ガスケット位置決め用突起に対応した位置決め用開口と、前記ねじを避けるねじ回避部と有し、
前記ガスケットが、前記位置決め用開口を前記ガスケット位置決め用突起に嵌合されて、各ねじ止めされている個所毎に位置を規制されている構成としたことを特徴とする電子機器。
【請求項５】
請求項４に記載の電子機器において、
前記ガスケットが、各ねじ止めされている個所について、ねじ止め個所の両側で位置を規制されている構成としたこと成としたことを特徴とする電子機器。
【発明の詳細な説明】
【技術分野】
【０００１】
本発明は電子機器に係り、特に屋外に設置されて使用される電子機器の防水シール構造に関する。
【背景技術】
【０００２】
ケースとバックプレートとを有し、内部に電子部品モジュールが収容しており、屋外に設置されて使用される電子機器がある。この種の電子機器では、雨水の浸入を防止するために、ケースとバックプレートとの間はガスケットが挟まれた防水シール構造となっている。
【０００３】
図６及び図７は従来の電子機器１０を示す。電子機器１０は、一辺が約３０ｃｍの大きさの機器であり、背面が開口１２であるケース１１と、ケース１１内に収容してある電子部品モジュール２０と、ケース１１の背面開口に沿っている閉ループ状のガスケット３０と、タッピングねじ４０によってケース１１に固定してあり、ケース１１の背面開口１２を塞ぐバックプレート５０とを有し、防水シール構造となっている。ケース１１及びバックプレート５０は共に合成樹脂製の成形部品である。なお、図６中の拡大して示す図については、バックプレート５０の一部を切り欠いた状態で示している。
【０００４】
ガスケット３０は、材質がスポンジ質のフレキシブルのものであり、且つ、大きさが電子機器１０に対応する大きさであるため、形状が定まりにくいものである。しかも、ガスケット３０の位置がずれてしまうと、防水シール性が損なわれてしまう。
【０００５】
そこで、従来、電子機器１０の組み立ては、治具を使用してガスケット３０の位置及び形状を決めつつ、以下の手順で行なっていた。
【０００６】
なお、図８に拡大して示すように、ケース１１の背面開口１２の縁の部分は、ケース１１の側壁部１４の内側に、ボス１６が所定の間隔で配置してあり、且つ、ボス１６より内側にケース１１の側壁部１４と平行にリブ１７が延在している構成である。各ボス１６にはねじ孔１５が形成してある。
【０００７】
また、ガスケット３０には、上記のねじ孔１５に対応する個所に孔３１が形成してある。
【０００８】
先ず、図９（Ａ）に示すように、電子部品モジュール２０が組み込んであるケース１１を、その背面開口１２が上を向いた姿勢とし、各ねじ孔１５に棒形状の治具６０を差し込んで立てる。
【０００９】
次いで、図９（Ｂ）に示すように、ガスケット３０を、上側から、その孔３１を治具６０に差し込んで、治具６０に沿って降ろす。これによって、ガスケット３０は分散している複数の個所を位置決めされて、形状をケース１１の内側に沿う形状とされ、且つ、リブ１７上に載って全周に亘って支持され状態としてケース１１の背面開口１２の縁の部分に位置決めされる（図９（Ｂ）参照）。
【００１０】
次いで、図９（Ｃ）に示すように、バックプレート５０を、そのねじ挿通孔５１を治具６０に嵌合させ、治具６０に沿って降ろす。バックプレート５０は、位置決めされているガスケット３０を挟んで、ケース１１の背面開口１２を塞いだ状態となる。
【００１１】
次いで、図１０（Ａ）に示すように、順番に治具６０を抜くと共に、図１０（Ｂ）に示すように、治具６０を抜いた場所にねじ４０をねじ込む。
【００１２】
これによって、ガスケット３０はケース１１の背面開口１２の縁の部分に正常に沿う状態とされて、ケース１１とバックプレート５０との間に挟み込まれた状態となる。
【特許文献１】特開２０００−３３２４５１号公報
【特許文献２】特開平１１−８６９２５号公報
【発明の開示】
【発明が解決しようとする課題】
【００１３】
ここで、ガスケット３０の孔３１は、位置決めのために、治具６０に対応する大きさであり、ねじ４０との間隔が十分ではなく、ねじ４０を締めるときにねじ４０に引っ掛ってねじ４０に巻き込まれてしまう危険があった。ガスケット３０の巻き込みが起きると、その場所については防水シール性が損なわれてしまう。しかも、作業者にはガスケット３０の巻き込みが起きていることが目視出来ない状態であった。
【００１４】
また、上記の電子機器１０では、組み立てを行なう過程で、棒形状の治具６０を使用し、しかも、この棒形状の治具６０を差し込む作業、及び、ねじ締め毎に治具６０を一本づつ抜く作業が必要となり、組み立てが面倒であった。
【００１５】
そこで、本発明は、上記課題を解決した電子機器を提供することを目的とする。
【課題を解決するための手段】
【００１６】
本発明は、開口（１１２）を有するケース（１１１）と、該ケースの開口を塞ぐプレート（１５０）と、ガスケット（１３０）とを有し、該プレートのねじ挿通孔（１５１）を挿通して前記ケースのねじ孔（１１５）にねじ込まれた複数のねじ（１４０）によって前記プレートが前記ケースに固定してあり、前記ガスケットが前記ケースと前記プレートとの間に挟まれた構成の電子機器において、
前記ケースは、前記ねじ孔（１１５）の近傍に、ガスケット位置決め用突起（１１８，１１９）を有し、
前記ガスケットは、前記ガスケット位置決め用突起に対応した位置決め用開口（１３２，１３３）と、前記ねじを避けるねじ回避部（１３１）と有し、
前記ガスケットが、前記位置決め用開口（１３２，１３３）を前記ガスケット位置決め用突起（１１８，１１９）に嵌合されて、各ねじ止めされている個所について位置を規制されている構成としたことを特徴とする。
【００１７】
尚、上記参照符号は、あくまでも参考であり、これによって、本願発明が図示の態様に限定されるものではない。
【発明の効果】
【００１８】
本発明によれば、ガスケットが各ねじ止めされている個所について、位置を規制されているため、且つ、ねじ回避部がねじとの接触を回避しているため、ガスケットが正規の位置からずれてしまうことが起きないように出来る。しかも、ガスケットが正規の位置からずれてしまうことが起きない構成を、治具を使用しないで実現することが出来る、即ち、簡単な組み立て作業で実現することが出来る。
【発明を実施するための最良の形態】
【００１９】
次に本発明の実施の形態について説明する。
【実施例１】
【００２０】
図１は本発明の実施例１になる電子機器１００をその背面を上側にした姿勢で且つ分解して示す。図２は図１中、円Ａで囲んだ部分を拡大して示す図である。図３は図２に示す部分を分解して、即ち、図１中、円Ｂ、Ｃ、Ｄで囲んだ部分を拡大して且つ対応させて示す図である。円Ｄで囲んだ部分については分かり易くするために下側から見上げて示す。
【００２１】
図１に示すように、電子機器１００は、一辺が約３０ｃｍの大きさの機器であり、背面が開口１１２である形状のケース１１１と、ケース１１１内に収容してある電子部品モジュール１２０と、ケース１１１の背面開口に沿っている閉ループ状のガスケット１３０と、タッピングねじ１４０によってケース１１１に固定してあり、ケース１１１の背面開口１１２を塞ぐバックプレート１５０とを有する。
【００２２】
図１及び図２示すように、バックプレート１５０はその周囲に沿う複数の個所をタッピングねじ１４０によってケース１１１にねじ止めしてあり、且つ、ガスケット３０がケース１１１の後述するリブ１１７とバックプレート１５０との間に挟み込まれており防水シール構造となっている。
【００２３】
電子部品モジュール１２０は、図２に示すように、プリント回路基板１２１に多数の電子部品１２２が実装してある構成である。ケース１１１及びバックプレート１５０は共に合成樹脂製の成形部品である。
【００２４】
ガスケット１３０は、材質がスポンジ質のフレキシブルのものであり、且つ、ケース１１１の背面開口の縁に沿う形状であり大きさが大きく、自然の状態で展開されず、形状が定まりにくいものである。よって、ガスケット１３０を所定の形状として所定の場所にきちんと置くことが難く、工夫が必要となる。しかも、この工夫は電子機器１００の組み立て作業の作業性を損なわないものであることが好ましい。
【００２５】
図３に示すように、ケース１１１の背面開口１１２の縁の部分は、ケース１１の側壁部１１４の内側に、ボス１１６が所定の間隔で配置してあり、且つ、ボス１１６より内側にケース１１１の側壁部１１４と平行に二列のリブ１１７が延在しており、且つ、各ボス１１６毎に二つのガスケット位置決め突起１１８、１１９が形成してある。各ボス１１６にはねじ孔１１５が形成してある。
【００２６】
ガスケット位置決め突起１１８、１１９は、側壁部１１４とリブ１１７との間の位置であって、側壁部１１４が延在する方向上、ねじ孔１１５の両側であって且つねじ孔１１５の近傍に配置してある。
【００２７】
同じく、図３に示すように、ガスケット１３０のうち、ボス１１６及びこの近傍に対応する部分には、ボス１１６を避ける切欠部１３１と、ガスケット位置決め突起１１８、１１９に丁度に嵌合する位置決め用開口１３２，１３３が形成してある。切欠部１３１は、ボス１１６に対応する円弧状である。位置決め用開口１３２，１３３は、ガスケット位置決め突起１１８、１１９に対応して配置してある。
【００２８】
同じく、図３に示すように、バックプレート１５０には、ねじ孔１１５に対応するねじ挿通孔１５１と、ガスケット位置決め突起１１８、１１９を受け入れてガスケット位置決め突起１１８、１１９が当るのを避ける凹部１５２、１５３とが形成してある。凹部１５２、１５３は、バックプレート１５０の上面１５４までは到っていない。
【００２９】
次に、上記の電子機器１０の組み立ての手順について説明する。
【００３０】
先ず、電子部品モジュール１２０が組み込んであるケース１１を、その背面開口１２が上を向いた姿勢とし、ガスケット１３０をケース１１１の背面開口１１２の縁の部分に組み込む。
【００３１】
ガスケット１３０の組み込みは、ガスケット１３０をケース１１１の背面開口１１２の縁に合わせ、個々のねじ孔１１５の個所について、位置決め用開口１３２，１３３を夫々ガスケット位置決め突起１１８、１１９に嵌合させることによって行なう。これによって、ガスケット１３０は、図４に示すように、個々のねじ孔１１５の個所について、ねじ孔１１５の両側の二箇所をガスケット位置決め突起１１８、１１９によって位置を規制されて、リブ１１７上に載った状態に支持される。ガスケット１３０は、全周に亘って分散した複数の個所を固定された状態となり、位置ずれをおこす心配はなく、安定に支持された状態となる。また、切欠部１３１がボス１１６の周面と対向しており、ボス１１６の上面は露出している。
【００３２】
次いで、バックプレート１５０をケース１１１の背面開口１１２を塞ぐように置いて、ねじ１４０をねじ挿通孔１５１を挿通させてねじ孔１１５にねじ込んで締め付ける。
【００３３】
以上によって、電子機器１０の組み立てが完了する。治具は一切使用しないため、組み立て作業は効率良く行われる。
【００３４】
ここで、ねじ１４０はガスケット１３０の切欠部１３１を通っており、ねじ１４０の周面はガスケット１３０の縁からボス１１６の肉厚分ｔ（図４参照）離れており非接触であり、ねじ１４０を締めるときに、ガスケット１３０が巻き込まれることが起きない。
【００３５】
しかも、ガスケット１３０は各ねじ孔１１５の個所毎に、そのねじ孔１１５に対して両側の二箇所で位置を規制されているため、何らかの原因でガスケット１３０の一部がねじ１４０と接触し、ガスケット１３０にねじ１４０に巻き込まれるような力が作用した場合でも、ガスケット１３０が巻き込まれることは起きない。なお、本実施例に示すように、ねじ１４０（ねじ孔１１５）の両側の二箇所で位置規制する構成は、ねじ１４０（ねじ孔１１５）の片側の一箇所で位置規制する構成に比較して、ガスケット１３０が巻き込まれることを制限する能力が高い。
【００３６】
また、ガスケット位置決め突起１１８、１１９のうちガスケット１３０より上方に突き出ている部分は、凹部１５２、１５３内に収まっている。
【００３７】
また、一つのガスケット位置決め突起１１８と一つの位置決め用開口１３２とを有する構成とすることも出来る
【実施例２】
【００３８】
図５は本発明の実施例２になる電子機器１００Ａの一部を拡大して分解して示す。ガスケット位置決め突起１１８Ａ、１１９Ａは、バックプレート１５０の下面より突き出て形成してあり、ねじ挿通孔１５１の両側の近傍に形成してある。
【００３９】
この電子機器１０は、ガスケット１３０をその位置決め用開口１３２，１３３を夫々ガスケット位置決め突起１１８Ａ、１１９Ａに嵌合させて位置を規制させてバックプレート１５０の下面に取り付け、このバックプレート１５０をケース１１１の背面開口１１２を塞ぐように置いて、ねじ１４０をねじ挿通孔１５１を挿通させてねじ孔１１５にねじ込んで締め付けることによって組み立てられる
ガスケット１３０は各ねじ挿通孔１５１の個所毎に、そのねじ挿通孔１１５に対して両側の二箇所で位置を規制されている
また、一つのガスケット位置決め突起１１８Ａと一つの位置決め用開口１３２とを有する構成とすることも出来る
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【００４０】
本発明は、ガスケット１３０に限らず、柔らかい材質の部品であって、ねじ締めのときに巻き込む危険性のある部品が配置される場所に適用が可能である。
【００４１】
特許請求の範囲内に記載の「ねじ回避部」には、実施例１の切欠部１３１が対応する。
【図面の簡単な説明】
【００４２】
【図１】本発明の実施例１になる電子機器をその背面を上側にした姿勢で且つ分解して示す斜視図である。
【図２】図１中、円Ａで囲んだ部分を拡大して示す図である。
【図３】図２に示す部分を分解して示す図である。
【図４】電子機器の組み立て途中の状態を示す図である。
【図５】本発明の実施例２になる電子機器の一部を拡大して且つ分解して示す図である。
【図６】従来の電子機器をその背面を上側にした姿勢で示す斜視図である。
【図７】図６の電子機器を分解して示す斜視図である。
【図８】図６の電子機器の一部を拡大して且つ分解して示す斜視図である。
【図９】図６の電子機器の組み立て途中の状態を順番に示す図である。
【図１０】図９（Ｃ）に続く電子機器の組み立て途中の状態を順番に示す図である。
【符号の説明】
【００４３】
１０、１０Ａ  電子機器
１１１  ケース
１１２  開口
１１４  側壁部
１１５  ねじ孔
１１６  ボス
１１７  リブ
１１８、１１９、１１８Ａ、１１９Ａ  ガスケット位置決め突起
１２０  電子部品モジュール
１３０  ガスケット
１３１  切欠部
１３２，１３３  位置決め用開口
１４０  タッピングねじ
１５０、１５０Ａ  バックプレート
１５２、１５３  凹部
【図１】
2007220762.tif 000003
【図２】
2007220762.tif 000004
【図３】
2007220762.tif 000005
【図４】
2007220762.tif 000006
【図５】
2007220762.tif 000007
【図６】
2007220762.tif 000008
【図７】
2007220762.tif 000009
【図８】
2007220762.tif 000010
【図９】
2007220762.tif 000011
【図１０】
2007220762.tif 000012